(57)【要約】【課題】コンテンツを表示及び操作する操作端末装置を提供する。【解決手段】コンピュータ装置２１は授業で用いられる授業用データが蓄積された教材製版コンテンツデータベース５２、教習用動画コンテンツデータベース５３、教習用静止画コンテンツデータベース５４、問題集テキストコンテンツデータベース５５から構成データを読み出し、読み出した構成データを操作用端末装置２２の画面に表示する。ユーザが画面に表示された構成データの特定部分を選択すると、コンピュータ装置２１は、操作用端末装置２２の画面上にサブウインドウを生成し、特定部分にリンクされている構成データをサブウインドウ内に表示すると共に、その構成データを出力部を介して大型表示装置２３及び音声出力装置２４に出力し、ユーザが特定部分の選択を解除したときは大型表示装置２３及び音声出力装置２４への出力を停止する。【選択図】  図１
2005173348.tif 000002
【特許請求の範囲】
【請求項１】
テキスト、静止画像、動画像等のコンテンツから構成される構成データが蓄積されたデータベースから、前記構成データを読み出す読み出し部と、読み出した前記構成データを表示する表示部と、表示装置と音声出力装置に前記構成データを出力する出力部と、を備えたコンテンツ操作用端末装置において、
前記構成データの特定部分はさらに幾つかの前記構成データにリンクしており、前記表示部に表示されている前記特定部分が選択されたときに、前記表示部にサブウインドウを生成し、前記特定部分にリンクされている前記構成データを前記サブウインドウ内に表示する手段と、
前記特定部分が選択されたときのみ、前記特定部分にリンクされている前記構成データを前記出力部を介して前記表示装置及び前記音声出力装置に出力する手段と、
前記特定部分の選択が解除されたときは前記表示装置及び前記音声出力装置への出力を停止する手段と、
を備えたことを特徴とするコンテンツ操作用端末装置。
【請求項２】
予め設定された時刻までの残時間を計測し、前記表示部の一部分に前記残時間を表示する手段をさらに備えたことを特徴とする請求項１に記載のコンテンツ操作用端末装置。
【請求項３】
前記特定部分にリンクされている前記構成データが一度選択された後に、前記表示部に前記特定部分が表示されたときは、前記特定部分に選択済みの目印を表示する手段をさらに備えたことを特徴とする請求項１に記載のコンテンツ操作用端末装置。
【請求項４】
テキスト、静止画像、動画像等のコンテンツから構成される構成データが蓄積されたデータベースから、前記構成データを読み出す読み出し部と、読み出した前記構成データを表示する表示部と、表示装置と音声出力装置に前記構成データを出力する出力部と、を備えたコンテンツ表示制御方法において、
前記構成データの特定部分はさらに幾つかの前記構成データにリンクしており、前記表示部に表示されている前記特定部分が選択されたときに、前記表示部にサブウインドウを生成し、前記特定部分にリンクされている前記構成データを前記サブウインドウ内に表示する過程と、
前記特定部分が選択されたときのみ、前記特定部分にリンクされている前記構成データを前記出力部を介して前記表示装置及び前記音声出力装置に出力する過程と、
前記特定部分の選択が解除されたときは前記表示装置及び前記音声出力装置への出力を停止する過程と、
からなるコンテンツ表示制御方法。
【請求項５】
予め設定された時刻までの残時間を計測し、前記表示部の一部分に残時間を表示することを特徴とする請求項４に記載のコンテンツ表示制御方法。
【請求項６】
前記特定部分にリンクされている前記構成データが一度選択された後に、前記表示部に前記特定部分が表示されたときは、前記特定部分に選択済みの目印を表示することを特徴とする請求項４に記載のコンテンツ表示制御方法。
【請求項７】
テキスト、静止画像、動画像等のコンテンツから構成される構成データが蓄積されたデータベースから、前記構成データを読み出す読み出し部と、読み出した前記構成データを表示する表示部と、表示装置と音声出力装置に前記構成データを出力する出力部と、を備えたコンテンツ操作用端末装置のコンピュータに、
前記構成データの特定部分が選択されたときに、前記表示部にサブウインドウを生成し、前記特定部分にリンクされている前記授業用データを前記サブウインドウ内に表示する手順、
前記特定部分が選択されたときのみ、前記特定部分にリンクされている前記構成データを前記出力部を介して前記表示装置及び前記音声出力装置に出力する手順、
前記特定部分の選択が解除されたときは前記表示装置及び前記音声出力装置への出力を停止する手順、
を実行させることを特徴とするコンテンツ表示制御プログラム。
【請求項８】
前記コンピュータに、
予め設定された時刻までの残時間を計測し、前記表示部の一部分に残時間を表示する手順を実行させることを特徴とする請求項７に記載のコンテンツ表示制御プログラム。
【請求項９】
前記コンピュータに、
前記特定部分にリンクされている前記構成データが一度選択された後に、前記表示部に前記特定部分が表示されたときは、前記特定部分上に選択済みの目印を表示する手順を実行させることを特徴とする請求項７に記載のコンテンツ表示制御プログラム。
【請求項１０】
テキスト、静止画像、動画像等のコンテンツから構成される構成データを蓄積したデータベースと、前記データベースから前記構成データを読み出し、ネットワークを介して配信する配信サーバと、前記ネットワークを介して上記配信サーバから受信した前記構成データを蓄積する受信端末と、を備えたコンテンツ配信システムにおいて、
前記構成データの特定部分はさらに幾つかの前記構成データへ関連付けが設定されており、関連付けられた先に設定されている前記構成データが更新された場合に、前記配信サーバは更新された前記構成データのみを前記ネットワークを介して前記受信端末に配信する手段と、
前記受信端末は、更新された前記構成データを受信し、更新された前記構成データのみを入れ替えるとともに関連付けの情報も更新する手段と、
更新があった前記構成データに配信開始日が設定された時は、配信開始日以降に受信端末に配信する手段と、
を備えたことを特徴とするコンテンツ配信システム。
【発明の詳細な説明】
【技術分野】
【０００１】
本発明は、テキスト、静止画像、動画像等のコンテンツの操作を行う操作用端末装置及びコンテンツ表示制御方法及びそのプログラム並びにコンテンツ配信システムに関する。
【背景技術】
【０００２】
従来、学校等の授業で用いられるコンピュータの利用とは、単にインターネットに接続して、授業に必要な情報等を生徒に見せるというものであったが、近年、特許文献１に見られるように、教師の授業進行をサポートするような仕組みを取り入れたシステム化が図られている。
【特許文献１】特開２００２−７２８５０号公報
【発明の開示】
【発明が解決しようとする課題】
【０００３】
しかしながら、特許文献１においては予め教師が設定したシナリオに従い、教師の端末に映る画面の主要部分をプロジェクタを介してスクリーンに映している。そのため、画面操作によるプレゼンテーションのテクニックは教師に委ねられている課題がある。
また、特許文献１のシステムは主に小学校、中学校及び高校での授業に対するシステムであるために、授業の進め方が教師の裁量に委ねられている部分が大きい。そのため、社会人が受講するような資格試験取得のための授業等において、教師をサポートする仕組みは考慮されていないという課題がある。
さらに、また、小学校、中学校及び高校における授業内容は年度単位での更新となるが、社会人が受講するような資格取得試験のための授業等においては、施行される法改正にあわせて授業内容を更新していかなければならないという課題がある。
【０００４】
本発明は、上記課題を解決すべくなされたもので、その目的は、授業を定められた時間の枠内で進めなければならない教師の授業進行をサポートする仕組みを提供することにある。
【課題を解決するための手段】
【０００５】
請求項１に記載の発明は、テキスト、静止画像、動画像等のコンテンツから構成される構成データ（教本製版データ５２−１、教習用動画データ５３−１、教習用静止画データ５４−１、問題集テキストデータ５５−１）が蓄積されたデータベース（教本製版コンテンツデータベース５２、教習用動画コンテンツデータベース５３、教習用静止画コンテンツデータベース５４、問題集テキストコンテンツデータベース５５）から、前記構成データ（視覚教材データ２１−２）を読み出す読み出し部と、読み出した前記構成データを表示する表示部と、表示装置（大型表示装置２３）と音声出力装置（音声出力装置２４）に前記構成データを出力する出力部と、を備えたコンテンツ操作用端末装置（操作用端末装置２２及びコンピュータ装置２１）において、前記構成データの特定部分はさらに幾つかの前記構成データにリンクしており、前記表示部に表示されている前記特定部分が選択されたときに、前記表示部にサブウインドウ（サブウインドウＢ−８）を生成し、前記特定部分にリンクされている前記構成データを前記サブウインドウ内に表示する手段と、前記特定部分が選択されたときのみ、前記特定部分にリンクされている前記構成データを前記出力部を介して前記表示装置及び前記音声出力装置に出力する手段と、前記特定部分の選択が解除されたときは前記表示装置及び前記音声出力装置への出力を停止する手段と、を備えたことを特徴とするコンテンツ操作用端末装置である。
【０００６】
請求項２に記載の発明は、請求項１に記載の発明において、予め設定された時刻までの残時間を計測し、前記表示部の一部分に前記残時間を表示する手段（タイマー表示機能Ａ−２）をさらに備えたことを特徴とする。
【０００７】
請求項３に記載の発明は、請求項１に記載の発明において、前記特定部分にリンクされている前記構成データが一度選択された後に、前記表示部に前記特定部分が表示されたときは、前記特定部分に選択済みの目印（目印Ｄ−１）を表示する手段をさらに備えたことを特徴とする。
【０００８】
請求項４に記載の発明は、テキスト、静止画像、動画像等のコンテンツから構成される構成データが蓄積されたデータベースから、前記構成データを読み出す読み出し部と、読み出した前記構成データを表示する表示部と、表示装置と音声出力装置に前記構成データを出力する出力部と、を備えたコンテンツ表示制御方法において、前記構成データの特定部分はさらに幾つかの前記構成データにリンクしており、前記表示部に表示されている前記特定部分が選択されたときに、前記表示部にサブウインドウを生成し、前記特定部分にリンクされている前記構成データを前記サブウインドウ内に表示する過程と、前記特定部分が選択されたときのみ、前記特定部分にリンクされている前記構成データを前記出力部を介して前記表示装置及び前記音声出力装置に出力する過程と、前記特定部分の選択が解除されたときは前記表示装置及び前記音声出力装置への出力を停止する過程と、からなるコンテンツ表示制御方法である。
【０００９】
請求項５に記載の発明は、請求項４に記載の発明において、予め設定された時刻までの残時間を計測し、前記表示部の一部分に残時間を表示することを特徴とする。
【００１０】
請求項６に記載の発明は、請求項４に記載の発明において、前記特定部分にリンクされている前記構成データが一度選択された後に、前記表示部に前記特定部分が表示されたときは、前記特定部分に選択済みの目印を表示することを特徴とする。
【００１１】
請求項７に記載の発明は、テキスト、静止画像、動画像等のコンテンツから構成される構成データが蓄積されたデータベースから、前記構成データを読み出す読み出し部と、読み出した前記構成データを表示する表示部と、表示装置と音声出力装置に前記構成データを出力する出力部と、を備えたコンテンツ操作用端末装置のコンピュータに、前記構成データの特定部分が選択されたときに、前記表示部にサブウインドウを生成し、前記特定部分にリンクされている前記授業用データを前記サブウインドウ内に表示する手順、前記特定部分が選択されたときのみ、前記特定部分にリンクされている前記構成データを前記出力部を介して前記表示装置及び前記音声出力装置に出力する手順、前記特定部分の選択が解除されたときは前記表示装置及び前記音声出力装置への出力を停止する手順、を実行させることを特徴とするコンテンツ表示制御プログラムである。
【００１２】
請求項８に記載の発明は、請求項７に記載の発明において、前記コンピュータに、
予め設定された時刻までの残時間を計測し、前記表示部の一部分に残時間を表示する手順を実行させることを特徴とする。
【００１３】
請求項９に記載の発明は、請求項７に記載の発明において、前記コンピュータに、
前記特定部分にリンクされている前記構成データが一度選択された後に、前記表示部に前記特定部分が表示されたときは、前記特定部分上に選択済みの目印を表示する手順を実行させることを特徴とする。
【００１４】
請求項１０に記載の発明は、テキスト、静止画像、動画像等のコンテンツから構成される構成データを蓄積したデータベース（教本製版コンテンツデータベース５２、教習用動画コンテンツデータベース５３、教習用静止画コンテンツデータベース５４、問題集テキストコンテンツデータベース５５）と、前記データベースから前記構成データ（教本製版データ５２−１、教習用動画データ５３−１、教習用静止画データ５４−１、問題集テキストデータ５５−１、視覚教材データ５６−１）を読み出し、ネットワークを介して配信する配信サーバ（視覚教材製作用端末５７及び配信サーバ５１）と、前記ネットワーク（インターネット１００）を介して上記配信サーバから受信した前記構成データを蓄積する受信端末（教材サーバ１１及び視覚教材コンテンツデータベース１３）と、を備えたコンテンツ配信システムにおいて、前記構成データの特定部分はさらに幾つかの前記構成データへ関連付けが設定されており、関連付けられた先に設定されている前記構成データが更新された場合に、前記配信サーバは更新された前記構成データのみを前記ネットワークを介して前記受信端末に配信する手段と、前記受信端末は、更新された前記構成データを受信し、更新された前記構成データのみを入れ替えるとともに関連付けの情報も更新する手段と、更新があった前記構成データに配信開始日が設定された時は、配信開始日以降に受信端末に配信する手段と、を備えたことを特徴とするコンテンツ配信システムである。
【発明の効果】
【００１５】
以上説明したように、本発明によれば、コンテンツ操作用端末には、教師が選択した部分のみを表示装置に映し、終了すると表示装置の表示を消す仕組みがあるため、教師が授業の進行に応じて表示装置を消し忘れることを防ぐ作用があり、教師がコンテンツ操作用端末装置の操作に対して行う配慮を軽減する効果がある。
【００１６】
また、本発明によれば、コンテンツ操作用端末装置には、予め設定された時刻までの残時間を表示する仕組みがある。そのため、授業の終了時刻を設定することによって授業の残時間を常に画面上に表示することが可能となり、残授業時間を確認しつつ、必要な箇所から授業を行いやすくするという効果がある。
【００１７】
また、本発明によれば、コンテンツ操作用端末装置には、説明を終了した部分のコンテンツに使用履歴をつける仕組みがあるため、教師が誤って同じところを説明することを防ぐ効果がある。
【００１８】
さらに、また、本発明によれば、コンテンツ配信システムには、配信開始を設定する仕組み及び更新のあった部分のみを配信する仕組みがあるため、登録された日以前の配信の防止及び低帯域の通信回線でかつ短時間でコンテンツを配信できるという効果がある。
【発明を実施するための最良の形態】
【００１９】
以下、本発明の一実施形態による操作用端末装置について図面を参照して説明する。
本実施形態では主に自動車学校における教習を取り上げているが、本実施形態の構成はいわゆる複数の生徒に対して教室で授業を行う学校、専門学校等にも適用可能な構成である。
図１は、操作用端末装置２２及び操作用端末装置２２に接続されている各装置の構成を示すブロック図である。操作端末装置２２は、教習のためのコンテンツを表示し、また同時に教師からの入力を受け付ける装置である。操作用端末装置２２の入力手段としてはマウス、キーボードの他に、画面から直接入力ができるタッチパネルがある。
操作用端末装置２２に接続されているコンピュータ装置２１は、教師が操作用端末装置２２に入力すると、その入力に従ってコンピュータ装置２１がデータベースに保存されているコンテンツを読み出し、操作用端末装置２２にそのコンテンツを表示する等の制御を行う装置である。また、コンピュータ装置２１は、大型表示装置２３及び音声出力装置２４にも接続されており、教師の操作用端末装置２２への入力に従って、コンテンツを大型表示装置２３及び音声出力装置２４に出力及び停止する制御を行う。
教習に用いるコンテンツは、種類毎にデータベースに保存されている。教本製版コンテンツデータベース５２は生徒に配布されている教本または教科書等を製版またはＤＴＰ（Ｄｅｓｋ  Ｔｏｐ  Ｐｕｂｌｉｓｈｉｎｇ）により電子的に記録可能なものにした教本製版データのコンテンツを保存しているデータベースである。教習用動画コンテンツデータベース５３は、教習に用いるＣＧ（Ｃｏｍｐｕｔｅｒ  Ｇｒａｐｈｉｃｓ）や実写の動画像等の教習用動画データのコンテンツを保存しているデータベースである。教習用静止画コンテンツデータベース５４は、イラストやデジタルカメラ等で撮影された実写の静止画像等の教習用静止画データのコンテンツを保存しているデータベースである。学科問題集コンテンツデータベース５５は、学科の教習問題等の問題集テキストデータのコンテンツを保存しているデータベースである。これらのデータベースは、構内ＬＡＮ等を通してコンピュータ装置２１に接続されている。
コンピュータ装置２１の制御により、コンテンツの静止画像データや動画像データを表示する大型表示装置２３及びコンテンツの音声データを出力する音声出力装置２４は、具体的には大型表示スクリーンや音声スピーカ等である。
【００２０】
図２は、図１で説明した各データベースに保存されているコンテンツの関連性及びそのコンテンツの表示制御に関連する各装置の機能を示したものである。
教本製版データ５２−１は自動車教習用の教本を基にＤＴＰ等の手段により作成されるもので、生徒に配布される教習用の本である教本の内容と同等のものである。教習用動画コンテンツデータベース５３、教習用静止画コンテンツデータベース５４、問題集テキストコンテンツデータベース５５のそれぞれには、教習用動画データ５３−１、教習用静止画データ５４−１、問題集テキストデータ５５−１が保存されている。コンテンツの作成者は、教習用動画データ５３−１、教習用静止画データ５４−１、問題集テキストデータ５５−１の中から教本製版データ５２−１に関連するデータを選択し、教本製版データ５２−１の該当する箇所に、例えば、教本製版データ５２−１上の縮小化された画像をクリックすると静止画の拡大図が表示されるように、選択した関連データへのリンクを設定する。次に、作成者は、教本製版データ５２−１及び教本製版データ５２−１と関連付けられた教習用動画データ５３−１、教習用静止画データ５４−１、問題集テキストデータ５５−１を１つにまとめ、視覚教材データ５６−１として視覚教材コンテンツデータベース５６に保存する。
教師は、授業の開始前に予め視覚教材コンテンツデータベース５６からコンピュータ装置２１に視覚教材データ５６−１を転送し、コンピュータ装置２１の内部にあるハードディスク等に保存する。
独自教材データ６０−１は、教師が自ら独自に作成した静止画や動画のコンテンツを教材として使用する際のデータであり、コンテンツデータ入力装置１２を用いて視覚教材データ２１−２の中に取り込むことができる。
【００２１】
以下、図２に加えて、図３から図１４の操作端末装置２２に表示される画面及び大型表示画面２３に表示される画面の略線図を交えながら、教師が行う操作の流れについて説明する。
教師が操作用端末装置２２を起動し、所定の操作をすることによりコンピュータ装置２１に保存されている視覚教材データ２１−２が読み出され、コンピュータ装置の制御部２１−１の表示操作制御機能により操作用端末装置２２の教本データ表示部２２−２に視覚教材データ２１−２が表示される。具体的には、図３のような画面が表示される。また、授業の開始と同時に教本データ表示部２２−２のタイマー表示機能によって、Ａ−２に示すように残授業時間が表示される。
【００２２】
教本に沿って授業を進める間は、教師は教本データ表示部２２−２に表示された視覚教材データ２１−２を参照し、生徒は予め配られた教本を見ながら授業が進められる。
教師が教本に記載されている画像を指し示しながら詳細に説明したい場合には、教師は該当する静止画のコンテンツを教本データ表示部２２−２上で選択する。具体的には、図３のＡ−１にある「拡大」と記載された領域を選択する。その教師の入力は、視覚教材データ表示選択部２２−１を介してコンピュータ装置２１の制御部２１−１で受け付けられ、制御部２１−１は該当する静止画コンテンツが視覚教材データ２１−２の中から選択する。制御部２１−１の表示操作制御機能は、選択した視覚教材データ２１−２の静止画コンテンツを操作用端末装置２２の教本データ表示部２２−２に表示する共に、大型表示装置２３の視覚教材データ表示部２３−１にも表示する。具体的には図４の画面が操作用端末装置２２の画面に表示され、大型表示装置２３にはＡ−４で示される枠の中だけが表示される。
【００２３】
この画面上で、教師は教本データ表示部２２−２にあるペンツール機能及びマーカー機能を用いて画面上にマークをつけて指し示したり、強調したりすることができる。具体的には、図５に示すようにＡ−６に示すペンツールボタンを選択すると、視覚教材データ表示選択部２２−１を介して、コンピュータ装置２１の制御部２１−１で受け付けられ、制御部２１−１は教本データ表示部２２−２のペンツール機能を起動する。教師が、教本データ表示部２２−２で指し示したい部分に線を引くと、その入力が視覚教材データ表示選択部２２−１を介して、コンピュータ装置２１の制御部２１−１で受け付けられる。そして、制御部２１−１の表示操作制御機能を介して、教本データ表示部２２−２のペンツール機能により教本データの画像の上に図５のような線が描かれる。
また、図６に示すようにＡ−７に示すマーカーツールボタンを選択すると、視覚教材データ表示選択部２２−１を介して、コンピュータ装置２１の制御部２１−１で受け付けられ、制御部２１−１の表示操作制御機能は、教本データ表示部２２−２のマーカーツール機能を起動する。教師が、教本データ表示部２２−２で強調したい文字部分に線を引くと、その入力が視覚教材データ表示選択部２２−１を介して、コンピュータ装置２１の制御部２１−１で受け付けられる。そして、制御部２１−１の表示操作制御機能を介して、教本データ表示部２２−２のマーカーツール機能により、教本データの画像の文字の部分を強調して図６のようにマーカーが描かれる。
【００２４】
図４の拡大画面を終了して、図３の画面に戻る場合には、図４のＡ−５にある「縮小」と記載された領域を選択する。その入力は、視覚教材データ表示選択部２２−１を介してコンピュータ装置２１の制御部２１−１で受け付けられ、制御部２１−１は大型表示装置２３の視覚教材データ表示部２３−１への出力を停止し、操作用端末装置２２の教本データ表示部２２−２の画面は図３に戻ることになる。上述の拡大表示に描かれた線やマーカーは、戻った図３の画面に反映されることになる。そして、図３の画面の説明が終了し、次の画面に進む場合にはＡ−３に示す「次のページへ」という説明のある矢印ボタンを選択する。その選択の入力は、視覚教材データ表示選択部２２−１を介してコンピュータ装置２１の制御部２１−１で受け付けられ、制御部２１−１は次のページの視覚教材データを読み込みこみ、表示操作制御機能を介して教本データ表示部２２−２に表示する。
【００２５】
図７は図３と同様の視覚教本データ２１−２の別のページの略線図である。図７から図１１を用いて、動画コンテンツ及び問題集テキストコンテンツの操作について説明する。Ｂ−１に示すコンテンツは動画のＣＧである。Ｂ−１の動画コンテンツに示すように、視覚教材データ２１−２上では動画コンテンツの表示にかかる時間が付されており、教師は残授業時間を考慮して動画を生徒に見せるかどうかを判断することができる。
教師がＢ−１のＣＧの領域を選択すると、その入力が視覚教材データ表示選択部２２−１を介して、コンピュータ装置２１の制御部２１−１で受け付けられ、制御部２１−１は該当する動画ＣＧコンテンツを視覚教材データ２１−２の中から選択する。制御部２１−１の表示操作制御機能は、選択した視覚教材データ２１−２の動画ＣＧコンテンツを操作用端末装置２２の教本データ表示部２２−２に表示する共に、大型表示装置２３の視覚教材データ表示部２３−１にも表示し、音声出力装置２４の視覚教材データ音声出力部２４−１を介して音声を出力する。具体的には図８の画面が操作用端末装置２２の画面に表示され、大型表示装置２３にはＢ−４で示される枠の中だけが表示される。教師は、Ｂ−５の一時停止ボタンにより、ＣＧを一時的に止めて説明する等のことができる。動画ＣＧが終了した時にはＢ−７の終了ボタンを押してＣＧを終了すると共に、その入力によりコンピュータ装置２１は大型表示装置２３及び音声出力装置２４への出力を停止する。そして、教師は図７の画面に戻ることができる。また、教師は、Ｂ−６の出力停止ボタンにより、一時的に大型表示装置２３及び音声出力装置２４への出力を一時的に停止することができる。これらのボタンを選択した時の表示の制御は、上記した通り、入力が視覚教材データ表示選択部２２−１を介して、コンピュータ装置２１の制御部２１−１で受け付けられ、制御部２１−１の表示操作制御機能が制御を行うこととなる。
【００２６】
図７の画面において、教師がＢ−２の動画コンテンツを選択すると、その入力が視覚教材データ表示選択部２２−１を介して、コンピュータ装置２１の制御部２１−１で受け付けられ、制御部２１−１は該当する動画コンテンツを視覚教材データ２１−２の中から選択する。制御部２１−１の表示操作制御機能は、操作用端末装置２２の教本データ表示部２２−２にサブウインドウを生成し、選択した視覚教材データ２１−２の動画コンテンツをそのウインドウの中に表示する。さらに、制御部２１−１の表示操作制御機能は同じ動画コンテンツを大型表示装置２３の視覚教材データ表示部２３−１にも表示し、音声出力装置２４の視覚教材データ音声出力部２４−１を介して音声を出力する。具体的には図９のようにＢ−８のサブウインドウが生成され、その中に動画コンテンツが表示され、大型表示装置２３にはＢ−９で示される枠の中だけが表示される。教師が、動画コンテンツを終了する際にはＢ−１０の「閉じる」という領域を選択することにより、動画コンテンツを終了することができ、サブウインドウＢ−８が閉じられると共に、大型表示装置２３及び音声出力装置２４への出力も停止される。
【００２７】
図７の画面において、Ｂ−３のコンテンツは問題集テキストコンテンツへのリンクを含んだ動画コンテンツであり、教師が独自に作成したコンテンツである。このコンテンツの取り込み方については後述する。教師が、Ｂ−３の動画コンテンツを選択すると、その入力が視覚教材データ表示選択部２２−１を介して、コンピュータ装置２１の制御部２１−１で受け付けられ、制御部２１−１は該当する動画コンテンツを視覚教材データ２１−２の中から選択する。制御部２１−１の表示操作制御機能は、選択した視覚教材データ２１−２の動画ＣＧコンテンツを操作用端末装置２２の教本データ表示部２２−２に表示する共に、大型表示装置２３の視覚教材データ表示部２３−１にも表示し、音声出力装置２４の視覚教材データ音声出力部２４−１を介して音声を出力する。具体的には図１０の画面が操作用端末装置２２の画面に表示され、大型表示装置２３にはＢ−１１で示される枠の中だけが表示される。
この動画コンテンツはさらに問題集テキストコンテンツへのリンクを含んでおり、教師が、Ｂ−１２の「問題を出題する」という領域を選択すると、図１１のＢ−１３の枠が表示され、その枠の中に問題テキストコンテンツが表示される。このような仕組みを取り入れておくことで、教師はコンテンツを見せた後に関連する問題を忘れず出題することができる。
【００２８】
図１２の略線図は、教師が自ら作成した、静止画や動画のコンテンツを取り込む操作を示したものである。図２で説明した通り、教師は、予め自らが作成した独自教材データ６０−１をコンテンツデータ入力装置１２の独自教材データ入力部１２−１に入力し、視覚教材データ２１−２に取り込むことができる。具体的に図１２に示すように、教師が、画面でＣ−１の「マイ教材読込」を選択すると、制御部２１−１の表示操作制御機能によりＣ−２のファイル選択用のサブウインドウが生成される。（この時点で、教師は予め独自で作成したデータをコンピュータ装置２１のハードディスク等に保存しておかなければならない。）サブウインドウに表示された幾つかの独自教材コンテンツから一つを選択し、次にＣ−３の「読込み」を選択する。その入力が視覚教材データ表示選択部２２−１を介して、制御部２１−１で受け付けられ、制御部２１−１の教材データ関連付け機能は、選択されたコンテンツを視覚教材データ２１−２に関連付けを行う。具体的には、図１３に示すように、教本データ表示部２２−２上にＣ−４のように追加されたコンテンツが表示されることとなる。
【００２９】
図１４の略線図は、教材データ２１−２に関連付けられた静止画や動画のコンテンツが一度選択されると、Ｄ−１のように画面上に既に表示したことを示す目印が付けられる。この目印Ｄ−１により、教師は一度表示したコンテンツを確認することができ、誤って２度表示するようなことを避けることができる。
【００３０】
図１５は実施形態の一つである自動車学校の教習に用いられる装置から構成される授業支援視覚教材システムを示しており、図１の基本的な構成図に、ネットワークによるコンテンツの配信を付加したものである。図１５を参照して、視覚教材データ５６−１の配信手段及びその更新管理手段について説明する。
教材制作・配信センタ１は教本製版データ５２−１、教習用動画データ５３−１、教習静止画データ５４−１、問題集テキストデータ５５−１より視覚教材データ５６−１を作成し、自動車学校２及び生徒の自宅３に配信するセンタである。
教材制作・配信センタ１において、教本、静止画及び動画のデータを保存している教本製版コンテンツデータベース５２、教習用動画コンテンツデータベース５３、教習用静止画コンテンツデータベース５４及び学科問題集コンテンツデータベース５５は、視覚教材製作用端末５７に接続されている。視覚教材製作用端末５７において、教本製版データ５２−１と教習用動画データ５３−１と教習用静止画データ５４−１と問題集テキストデータ５５−１の間で関連付けが行われる。関連付けが行われたそれらのデータは視覚教材データ５６−１として配信サーバ５１に転送され、視覚教材コンテンツデータベース５６に保存される。
視覚教材コンテンツデータベース５６を管理している配信サーバ５１は、インターネット１００を介して自動車学校２もしくは生徒の自宅３に視覚教材データ５６−１を配信する。配信に関しては、インターネット１００を使用せずに電子記録媒体１４、４２に保存し、郵送等で配信する手段２００、２０３もある。
【００３１】
自動車学校２は教職員が作業する職員室１０、授業を行う学科教室Ａ２０Ａ、学科教室Ｂ２０Ｂ及び生徒が自習する自習室３０の部屋を備えている。教材サーバ１１の管理者は、教材制作・配信センタ１の配信サーバ５１から配信された視覚教材データ５６−１はインターネット１００を介して職員室２の教材サーバ１１に取り込み、教材サーバ１１に接続されている視覚教材コンテンツデータベース１３に視覚教材データ５６−１を保存する。また、郵送された電子記録媒体１４を用いて教材サーバ１１に直接取り込む場合もある。
教材サーバ１１にはコンテンツデータ入力装置１２が接続されており、教師が独自に制作したコンテンツを視覚教材コンテンツ１３−１に加えることもできる。
教師は、校内ＬＡＮ１１０を介して授業開始前若しくは自習室での生徒の使用の前に予めコンピュータ装置２１Ａ，２１Ｂ，３１Ａ，３２Ｂに内蔵されているハードディスク等に教材サーバ１１上の視覚教材コンテンツ１３−１を取り込む。もしくは、電子記録媒体２５Ａ，２５Ｂ，３３Ａ，３３Ｂにより直接コンピュータ装置２１Ａ，２１Ｂ，３１Ａ，３２Ｂに内蔵されているハードディスク等に取り込まれることもある。
授業支援視覚教材システムでは生徒が自宅３から生徒の端末装置４１を用い、インターネット１００を介して配信サーバ５１に直接アクセスして視覚教材データ５６−１を取得して、生徒が自宅３で学習できる手段も提供している。自宅３の場合にも電子記録媒体４２により郵送等で配信されることもある。
学科教室Ａ２０Ａ及び学科教室Ｂ２０Ｂにおける操作用端末装置による操作は上述した通りなのでここでは省略する。また、自習室３０における使用も教師ではなく生徒が直接操作することのみが相違するため、説明は省略する。
【００３２】
図１６は、図１５で説明したデータベース内のデータの登録状態等を示したブロック図である。例えば、教習用動画データ５３−１には登録情報として、動画ファイル名、種別（実写又はＣＧ）、教習番号、教習項目、動画内容、時間、登録日等の情報が付与されている。教習用静止画データ５４−１には、画像ファイル名、種別、教習番号、教習項目、画像内容、登録日等の情報が付与されている。問題集テキストデータ５５−１には、カテゴリ、教習番号、教習項目、問題内容、正答率、登録日等の情報が付与されている。
視覚教材制作端末５７内のコンテンツ関連付け手段５７−１によりこれらのデータと教本製版データ５２−１が関連付けられ、視覚教材データ５６−１として視覚教材コンテンツデータベース５６に保存される。視覚教材データファイルには登録情報として、教材データファイル名、教習番号、教習項目、教本ページ番号、関連動画情報（動画ファイル）、関連静止画情報（静止画ファイル）、問題情報、コメント、登録日等の情報が付与されている。
【００３３】
ここで、法改正等により教習する内容が変更となった場合の更新の処理について図１７のフローチャートを用いて説明する。法改正による変更内容が決定すると、その変更内容に従って、教材作成者が該当するコンテンツを変更する（ステップ：Ｓ２０１）。教材作成者は、視覚教材制作端末５７のコンテンツ関連付け手段５７−１により視覚教材データ５６−１を更新する。コンテンツ関連付け手段５７−１は作成する際、更新のあった部分に関する登録日もあわせて更新する（ステップ：Ｓ２０２）。教材作成者は作成した視覚教材データファイルを、配信サーバ５１に送信する。配信用サーバの管理者は、配信サーバ５１に視覚教材データファイルを保存し、登録する（ステップ：Ｓ２０３）。配信用サーバの管理者は、更新された視覚教材データファイルの法の施行日から配信日を決定し、配信開始日を配信サーバ５１に登録する（ステップ：Ｓ２０４）。自動車学校２の職員室１０にある教材サーバ１１は定期的に配信サーバ５１にアクセスしており、配信サーバ５１において配信開始日に設定された日以降に、教材サーバ１１が配信サーバ５１にアクセスすると、配信サーバ５１は、教材サーバ１１内のファイルの登録日の情報を参照し、更新が必要なファイルを確認し、教材サーバ１１に配信開始の確認をする（ステップ：Ｓ２０５）。教材サーバ１１が配信開始を受け入れると、配信サーバ５１は更新部分のみを配信する（ステップ：Ｓ２０５）。
このようにして、配信サーバ５１は更新のあったコンテンツとその配信開始日を管理し、適切な時期に迅速にファイルの更新を行う手段を提供している。
【００３４】
上述の操作用端末装置２１及びコンピュータ装置２２は内部に、コンピュータシステムを有している。そして、上述した操作用端末装置２１とコンピュータ装置２２と大型表示装置２３と音声出力装置２４の間で実行される画面表示及び音声出力の制御の過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００３５】
【図１】本発明の一実施形態に係る操作用端末装置及びコンピュータ装置とそれに接続される装置のブロック図である。
【図２】同実施形態に係る各装置の接続を示したブロック図である。
【図３】同実施形態に係る操作用端末装置の画面に表示される教材製版データの略線図である。
【図４】同実施形態に係る操作用端末装置の画面に表示される教材製版データの拡大図の略線図である。
【図５】同実施形態に係る操作用端末装置の画面に表示される教材製版データの拡大図にペンツール入力がされた状態の略線図である。
【図６】同実施形態に係る操作用端末装置の画面に表示される教材製版データの拡大図にマーカーツール入力がされた状態の略線図である。
【図７】同実施形態に係る操作用端末装置の画面に表示される教材製版データの略線図である。
【図８】同実施形態に係る操作用端末装置の画面に表示される動画ＣＧデータの略線図である。
【図９】同実施形態に係る操作用端末装置の画面に表示される動画データがサブウインドウ上で起動された状態の略線図である。
【図１０】同実施形態に係る操作用端末装置の画面に表示される動画データの略線図である。
【図１１】同実施形態に係る操作用端末装置の画面に表示される問題集テキストデータが表示された状態の略線図である。
【図１２】同実施形態に係る操作用端末装置の画面に表示される独自教材データ取り込むサブウインドウが表示された状態の略線図である。
【図１３】同実施形態に係る操作用端末装置の画面に表示される独自教材データ取り込まれた後の状態の略線図である。
【図１４】同実施形態に係る操作用端末装置の画面に表示される教材製版データの一部を表示した後の状態の略線図である。
【図１５】本発明の一実施形態に係る授業支援視覚教材システムのブロック図である。
【図１６】同実施形態に係るデータベースの登録情報を説明するためのブロック図である。
【図１７】同実施形態に係る配信サーバにおいて実行される処理のフローチャートである。
【符号の説明】
【００３６】
２１  コンピュータ装置
２２  操作用端末装置
２３  大型表示装置
２４  音声出力装置
５２  教材製版コンテンツデータベース
５３  教習用動画コンテンツデータベース
５４  教習用静止画コンテンツデータベース
５５  問題集テキストコンテンツデータベース 
【図１】
2005173348.tif 000003
【図２】
2005173348.tif 000004
【図３】
2005173348.tif 000005
【図４】
2005173348.tif 000006
【図５】
2005173348.tif 000007
【図６】
2005173348.tif 000008
【図７】
2005173348.tif 000009
【図８】
2005173348.tif 000010
【図９】
2005173348.tif 000011
【図１０】
2005173348.tif 000012
【図１１】
2005173348.tif 000013
【図１２】
2005173348.tif 000014
【図１３】
2005173348.tif 000015
【図１４】
2005173348.tif 000016
【図１５】
2005173348.tif 000017
【図１６】
2005173348.tif 000018
【図１７】
2005173348.tif 000019